(57)【要約】【課題】ケーブルを容易に取り外すことができる治具を提供することである。【解決手段】上面Ｓ１は、同軸ケーブル２０に対してｚ軸方向の正方向側から接触する。側面Ｓ２，Ｓ３はそれぞれ、同軸ケーブル２０に対してｙ軸方向の負方向側及び正方向側から接触する。側面Ｓ４は、側面Ｓ３のｘ軸方向の負方向側の端部に接続され、ｘ軸方向の正方向側に向かうにしたがって、側面Ｓ２との間の間隔が狭くなるように傾斜している。突起１４ａは、ｚ軸方向の正方向側に同軸ケーブル２０を押し上げて上面Ｓ１に接触させ、側面Ｓ４よりもｘ軸方向の負方向側に設けられている。側面Ｓ２は、ｙ軸方向の正方向側から平面視したときに、側面Ｓ４よりもｘ軸方向の負方向側の領域及び側面Ｓ３，Ｓ４のｚ軸方向の負方向側の領域において、同軸ケーブル２０の太さ以上の幅を有する一本の帯状の領域を含むように露出している。【選択図】図１
2012089324.tif 000002
【特許請求の範囲】
【請求項１】
所定方向側に向かって挿入されるケーブルを保持する治具であって、
前記ケーブルに対して上側から接触する上面と、
前記ケーブルに対して第１の側方側から接触する第１の側面と、
前記第１の側面と対向している第２の側面であって、前記ケーブルに対して第１の側方側の反対側である第２の側方側から接触する第２の側面と、
前記第１の側面と対向するように前記第２の側面の所定方向側の反対側の端部に接続されている第３の側面であって、所定方向側に向かうにしたがって、前記第１の側面との間の間隔が狭くなるように該第１の側面に対して傾斜している第３の側面と、
上側に向かって突出していることにより、前記ケーブルを押し上げて前記上面に接触させる突起であって、前記第３の側面よりも所定方向側の反対側に設けられている突起と、
を備えており、
前記第１の側面は、第２の側方側から平面視したときに、前記第３の側面よりも所定方向側の反対側の領域及び前記第２の側面及び該第３の側面の下側の領域において、前記ケーブルの太さ以上の幅を有する一本の帯状の領域を含むように露出していること、
を特徴とする治具。
【請求項２】
前記上面の所定方向側の反対側の端部は、所定方向側の反対側に行くにしたがって、上側に向かうように水平面に対して傾斜していること、
を特徴とする請求項１に記載の治具。
【請求項３】
前記突起は、所定方向側に行くにしたがって、前記上面に近づくように水平面に対して傾斜していること、
を特徴とする請求項１又は請求項２のいずれかに記載の治具。
【発明の詳細な説明】
【技術分野】
【０００１】
本発明は、治具に関し、より特定的には、所定方向側に向かって挿入されるケーブルを保持する治具に関する。
【背景技術】
【０００２】
従来の治具としては、例えば、特許文献１に記載のガイド治具が知られている。以下に、特許文献１に記載のガイド治具について図面を参照しながら説明する。図１１は、特許文献１に記載のガイド治具５００、電線５０２ａ，５０２ｂ及び圧着端子５０４の外観斜視図である。
【０００３】
圧着端子５０４は、２本の電線を保持することによって、電気的に接続するための端子である。ガイド治具５００は、圧着端子５０４に２本の電線を挿入する際に用いられる。より詳細には、図１１に示すように、ガイド治具５００には、案内溝５０６が設けられている。案内溝５０６の幅は、電線５０２ａ，５０２ｂの入り口から出口に向かうにしたがって（すなわち、圧着端子５０４に近づくにしたがって）狭くなる構造を有している。また、案内溝５０６の上側は、蓋体５０８により覆われている。以上のような構成を有するガイド治具５００では、入り口が出口よりも広いため、電線５０２ａ，５０２ｂをガイド治具５００及び圧着端子５０４に容易に挿入することができる。
【０００４】
しかしながら、特許文献１に記載のガイド治具５００は、以下に説明するように、電線５０２ａ，５０２ｂをガイド治具５００から容易に取り外すことができないという問題を有する。ガイド治具５００には、蓋体５０８が設けられている。そのため、圧着端子５０４をかしめて電線５０２ａ，５０２ｂを固定した後に、蓋体５０８を取り外さなければ、電線５０２ａ，５０２ｂをガイド治具５００から取り外すことができない。
【先行技術文献】
【特許文献】
【０００５】
【特許文献１】特開２００４−７１２３７号公報
【発明の概要】
【発明が解決しようとする課題】
【０００６】
そこで、本発明の目的は、ケーブルを容易に取り外すことができる治具を提供することである。
【課題を解決するための手段】
【０００７】
本発明の一形態に係る治具は、所定方向側に向かって挿入されるケーブルを保持する治具であって、前記ケーブルに対して上側から接触する上面と、前記ケーブルに対して第１の側方側から接触する第１の側面と、前記第１の側面と対向している第２の側面であって、前記ケーブルに対して第１の側方側の反対側である第２の側方側から接触する第２の側面と、前記第１の側面と対向するように前記第２の側面の所定方向側の反対側の端部に接続されている第３の側面であって、所定方向側に向かうにしたがって、前記第１の側面との間の間隔が狭くなるように該第１の側面に対して傾斜している第３の側面と、上側に向かって突出していることにより、前記ケーブルを押し上げて前記上面に接触させる突起であって、前記第３の側面よりも所定方向側の反対側に設けられている突起と、を備えており、前記第１の側面は、第２の側方側から平面視したときに、前記第３の側面よりも所定方向側の反対側の領域及び前記第２の側面及び該第３の側面の下側の領域において、前記ケーブルの太さ以上の幅を有する一本の帯状の領域を含むように露出していること、を特徴とする。
【発明の効果】
【０００８】
本発明によれば、ケーブルを容易に取り外すことができる。
【図面の簡単な説明】
【０００９】
【図１】本発明の一実施形態に係る治具の外観斜視図である。
【図２】同軸ケーブルを取り除いた状態における治具の外観斜視図である。
【図３】治具の本体の外観斜視図である。
【図４】治具の補助具の外観斜視図である。
【図５】治具を平面視した図である。
【図６】コネクタが取り付けられる際の治具、同軸ケーブル及びコネクタの外観斜視図である。
【図７】図１の状態における治具を平面視した図である。
【図８】コネクタが取り付けられる際の治具、同軸ケーブル及びコネクタの外観斜視図である。
【図９】図８の状態における治具を平面視した図である。
【図１０】コネクタが取り付けられる際の治具、同軸ケーブル及びコネクタの外観斜視図である。
【図１１】特許文献１に記載のガイド治具、電線及び圧着端子の外観斜視図である。
【発明を実施するための形態】
【００１０】
以下に、本発明の一実施形態に係る治具について説明する。
【００１１】
（治具の構成）
まず、一実施形態に係る治具の構成について図面を参照しながら説明する。図１は、本発明の一実施形態に係る治具１０の外観斜視図である。図２は、同軸ケーブル２０を取り除いた状態における治具１０の外観斜視図である。図３は、治具１０の本体１２の外観斜視図である。図４は、治具１０の補助具１４の外観斜視図である。図５は、治具１０を平面視した図である。
【００１２】
治具１０は、図１及び図２に示すように、所定方向側に向かって挿入される同軸ケーブル２０を保持し、本体１２及び補助具１４により構成されている。以下では、同軸ケーブル２０が挿入される所定方向をｘ軸方向と定義し、鉛直方向をｚ軸方向と定義し、ｘ軸方向とｚ軸方向とに直交する方向をｙ軸方向と定義する。
【００１３】
本体１２は、金属又は樹脂などにより構成されている部材であり、図３に示すように、上面Ｓ１及び側面Ｓ２〜Ｓ４を備えている。上面Ｓ１は、ｘ軸方向に延在しており、図１に示すように、同軸ケーブル２０に対してｚ軸方向の正方向側から接触する。より詳細には、上面Ｓ１は、ｚ軸方向の負方向側を向く平面であり、本体１２のｙ軸方向の正方向側の辺に沿ってｘ軸方向に延在している。また、上面Ｓ１のｘ軸方向の負方向側の端部は、ｘ軸方向の負方向側に行くにしたがって、ｚ軸方向の正方向側に向かうようにｘｙ平面（水平面）に対して傾斜している。
【００１４】
側面Ｓ２は、ｘ軸方向に延在しており、図１に示すように、同軸ケーブル２０に対してｙ軸方向の負方向側から接触する。より詳細には、側面Ｓ２は、ｙ軸方向の正方向側を向く平面であり、上面Ｓ１に直交した状態でｘ軸方向に延在している。
【００１５】
側面Ｓ３は、側面Ｓ２と対向するようにｘ軸方向に延在しており、図１に示すように、同軸ケーブル２０に対してｙ軸方向の正方向側から接触する。より詳細には、側面Ｓ２は、ｙ軸方向の負方向側を向く平面であり、上面Ｓ１に直交した状態でｘ軸方向に延在している。ただし、側面Ｓ３は、側面Ｓ２のｘ軸方向全体にわたって対向しておらず、側面Ｓ２のｘ軸方向の正方向側の端部近傍のみと対向している。更に、側面Ｓ３のｚ軸方向の幅は、側面Ｓ２のｚ軸方向の幅よりも狭い。これにより、図５に示すように、側面Ｓ２は、ｙ軸方向の正方向側から平面視したときに、側面Ｓ３の下側の領域において露出している。なお、側面Ｓ２が露出していることについては後述する。
【００１６】
以上のように、上面Ｓ１は、ｚ軸方向の正方向側から同軸ケーブル２０に接触することにより、同軸ケーブル２０のｚ軸方向の位置決めを行っている。また、側面Ｓ２，Ｓ３はそれぞれ、ｙ軸方向の負方向側及び正方向側から同軸ケーブル２０に接触することにより、同軸ケーブル２０のｙ軸方向の位置決めを行っている。すなわち、上面Ｓ１及び側面Ｓ２，Ｓ３は、空間Ｓｐを形成しており、同軸ケーブル２０は、該空間Ｓｐ内を通過することにより、ｙ軸方向及びｚ軸方向の位置決めがなされている。
【００１７】
側面Ｓ４は、側面Ｓ２と対向するように側面Ｓ３のｘ軸方向の負方向側の端部に接続されており、図３に示すように、ｘ軸方向の正方向側に向かうにしたがって、側面Ｓ２との間隔が狭くなるように側面Ｓ２に対して傾斜している。より詳細には、側面Ｓ４は、ｙ軸方向の負方向側を向く面であり、上面Ｓ１に直交した状態でｘ軸方向に延在している。ただし、側面Ｓ４は、ｘｚ平面に平行ではなく、ｘ軸方向の正方向側に行くにしたがってｙ軸方向の負方向側に向かうように、ｘｚ平面に対して傾斜している。更に、側面Ｓ４は、側面Ｓ２のｘ軸方向全体にわたって対向していない。更に、側面Ｓ４のｚ軸方向の幅は、側面Ｓ２のｚ軸方向の幅よりも狭い。これにより、図５に示すように、側面Ｓ２は、ｙ軸方向の正方向側から平面視したときに、側面Ｓ４の下側の領域において露出している。なお、側面Ｓ２が露出していることについては後述する。
【００１８】
補助具１４は、金属又は樹脂などにより構成されている部材であり、図４に示すように、ｘ軸方向に長手方向を有する直方体状の部材である。補助具１４は、上面Ｓ５及び突起１４ａを含んでおり、図１及び図２に示すように、上面Ｓ１のｚ軸方向の負方向側に配置される。
【００１９】
上面Ｓ５は、直方体状の補助具１４のｚ軸方向の正方向側の面であり、上面Ｓ１と対向している。
【００２０】
突起１４ａは、上面Ｓ５からｚ軸方向の正方向側に突出している。そして、突起１４ａは、図２に示すように、ｘ軸方向の正方向側に行くにしたって、上面Ｓ１に近づくようにｘｙ平面（水平面）に対して傾斜している。また、突起１４ａのｚ軸方向の正方向側の端部は、図５に示すように、上面Ｓ１よりもｚ軸方向の負方向側に位置している。突起１４ａと上面Ｓ５との間隔は、同軸ケーブル２０の太さと略等しい。これにより、図５に示すように、側面Ｓ２は、ｙ軸方向の正方向側から平面視したときに、側面Ｓ４のｘ軸方向の負方向側の領域（すなわち、上面Ｓ５及び突起１４ａのｚ軸方向の正方向側の領域）において露出している。
【００２１】
ここで、側面Ｓ２についてより詳細に説明する。側面Ｓ２は、前記の通り、ｙ軸方向の正方向側から平面視したときに、一部において露出している。本実施形態では、側面Ｓ２は、図５に示すように、ｙ軸方向の正方向側から平面視したときに、側面Ｓ４よりもｘ軸方向の負方向側の領域及び側面Ｓ３，Ｓ４のｚ軸方向の負方向側の領域において、同軸ケーブル２０の幅Ｗ以上の幅を有する一本の帯状の領域Ｅを含むように露出している。これにより、図５に示す領域Ｅの沿った同軸ケーブル２０を、治具１０からｙ軸方向の正方向側に取り出すことが可能である。
【００２２】
（治具の使用方法）
以下に、治具１０の使用方法について図面を参照しながら説明する。治具１０は、図１に示すコネクタ３０を同軸ケーブル２０に取り付ける際に用いられる。図６、図８及び図１０は、コネクタ３０が取り付けられる際の治具１０、同軸ケーブル２０及びコネクタ３０の外観斜視図である。図７及び図９は、図１及び図８の状態における治具１０を平面視した図である。
【００２３】
図６に示すように、コネクタ３０は、接続部３２に接続されている。コネクタ３０及び接続部３２は、一枚の金属板により構成されている。そして、コネクタ３０を空間Ｓｐのｘ軸方向の正方向側に位置させる。
【００２４】
次に、図１に示すように、治具１０に対して、ｘ軸方向の正方向側に向かって同軸ケーブル２０を挿入する。同軸ケーブル２０は、図７に示すように、突起１４ａ近傍を通過する際に、突起１４ａによりｚ軸方向の正方向側に押し上げられて、上面Ｓ１に接触させられる。これにより、同軸ケーブル２０は、ｚ軸方向において位置決めされる。更に、同軸ケーブル２０は、図１に示すように、側面Ｓ４近傍を通過する際に、側面Ｓ４によりｙ軸方向の負方向側に押されて、側面Ｓ２に接触させられる。これにより、同軸ケーブル２０は、ｙ軸方向において位置決めされる。この後、同軸ケーブル２０は、図１に示すように、その先端が治具１０外に突出するまで、治具１０に対して挿入される。
【００２５】
次に、図８に示すように、工具５０を用いて、同軸ケーブル２０に対してコネクタ３０を取り付ける。より詳細には、工具をｚ軸方向の正方向側から押し当てる事により、コネクタ３０の舌片３４をかしめる。この際、同軸ケーブル２０は、工具５０によりｚ軸方向の負方向側に押し下げられる。これにより、図８及び図９に示すように、同軸ケーブル２０は、空間Ｓｐから引き出される。その結果、同軸ケーブル２０は、ｙ軸方向の正方向側から平面視したときに、領域Ｅ（図５参照）に沿うようになる。
【００２６】
次に、図１０に示すように、接続部３２をｙ軸方向の正方向側にスライドさせる。これにより、同軸ケーブル２０は、治具１０から取り出される。そして、同軸ケーブル２０を接続したコネクタ３０の次のコネクタ３０が治具１０の空間Ｓｐのｘ軸方向の正方向側にセットされる。
【００２７】
（効果）
以上のような治具１０によれば、側面Ｓ２は、図５に示すように、ｙ軸方向の正方向側から平面視したときに、側面Ｓ４よりもｘ軸方向の負方向側の領域及び側面Ｓ３，Ｓ４のｚ軸方向の負方向側の領域において、同軸ケーブル２０の幅Ｗ以上の幅を有する一本の帯状の領域Ｅを含むように露出している。そのため、図８及び図９に示すように、コネクタ３０を取り付けることによってに領域Ｅに同軸ケーブル２０を沿わせることで、同軸ケーブル２０を治具１０からｙ軸方向の正方向側に取り出すことが可能である。すなわち、蓋体を着脱するなどの工程を行うことなく、治具１０から同軸ケーブル２０を取り外すことが可能となる。
【００２８】
また、治具１０では、上面Ｓ１のｘ軸方向の負方向側の端部は、ｘ軸方向の負方向側に行くにしたがって、ｚ軸方向の正方向側に向かうようにｘｙ平面に対して傾斜している。そのため、同軸ケーブル２０を治具１０に挿入する際に、同軸ケーブル２０は、ｚ軸方向の正方向側にわずかにずれたとしても、上面Ｓ１によって治具１０内に導かれるようになる。よって、同軸ケーブル２０を治具に容易に挿入することが可能となる。
【００２９】
また、突起１４ａは、上面Ｓ５からｚ軸方向の正方向側に突出している。そして、突起１４ａは、図２に示すように、ｘ軸方向に行くにしたって、上面Ｓ１に近づくようにｘｙ平面に対して傾斜している。これにより、同軸ケーブル２０の治具１０への挿入時に、同軸ケーブル２０が突起１４ａに引っかかることが抑制される。よって、同軸ケーブル２０を治具に容易に挿入することが可能となる。
【産業上の利用可能性】
【００３０】
以上のように、本発明は、治具に有用であり、特に、ケーブルを容易に取り外すことができる点において優れている。
【符号の説明】
【００３１】
Ｅ 領域
Ｓ１，Ｓ５  上面
Ｓ２〜Ｓ４  側面
Ｓｐ  空間
１０  治具
１２  本体
１４  補助具
１４ａ  突起
２０  同軸ケーブル
３０  コネクタ
３２  接続部
３４  舌片
【図１】
2012089324.tif 000003
【図２】
2012089324.tif 000004
【図３】
2012089324.tif 000005
【図４】
2012089324.tif 000006
【図５】
2012089324.tif 000007
【図６】
2012089324.tif 000008
【図７】
2012089324.tif 000009
【図８】
2012089324.tif 000010
【図９】
2012089324.tif 000011
【図１０】
2012089324.tif 000012
【図１１】
2012089324.tif 000013